(57)【特許請求の範囲】
【請求項１】
室内（３０ａ，３０ｂ，・・・）の温度を検出する室内温度センサ（１４ａ）を有する空調機（１０ａ，１０ｂ，・・・）と、
前記空調機のユーザーが携帯する携帯端末（５０）と、
公衆回線（８０）を利用して前記空調機と前記携帯端末との間で情報のやりとりを行わせる情報仲介装置（２０ａ，２０ｂ，・・・，２１，４０）と、
を備え、
前記携帯端末に搭載される空調管理プログラムは、登録されている複数の前記空調機に関する情報を含む画像を前記携帯端末の表示画面（５５）に表示させることが可能であり、
登録されている前記空調機の有する前記室内温度センサの検知結果に基づき前記室内が所定の高温状態であると判断されたときに、判断結果に応じた高温情報を前記ユーザーが確認可能なように、前記情報仲介装置が前記携帯端末に前記高温情報のプッシュ通知を行い、
前記プッシュ通知が行われた際に前記携帯端末の前記表示画面に表示されるプッシュ通知画像には、前記空調機の運転開始に関する情報を前記情報仲介装置に送信するための入力部が含まれ、
前記入力部は、所定の高温状態と判断された前記空調機を操作するための操作ボタンを含むものである、空調システム（１００）。
【請求項２】
前記情報仲介装置は、前記空調機毎に接続されるアダプタ（２０ａ，２０ｂ，・・・）を有し、
前記空調管理プログラムは、前記アダプタ毎に前記空調機を登録するための登録画像を前記携帯端末の前記表示画面に表示させることが可能である、
請求項１に記載の空調システム。
【請求項３】
前記空調機は、送風運転を行った後に、前記室内温度センサの検知結果に基づき前記室内が前記所定の高温状態であるか否かを判断する、
請求項１又は請求項２に記載の空調システム。
【発明の詳細な説明】
【技術分野】
【０００１】
本発明は、情報仲介装置を介して携帯端末と空調機との間で情報のやりとりを行うことができる空調システムに関する。
【背景技術】
【０００２】
従来より、情報仲介装置を介して携帯端末と空調機等の電気機器との間で情報のやりとりを行うことができるシステムとして、例えば特許文献１（特開２００５−２７０２５号公報）に開示されているように、ユーザーが携帯する携帯端末から、インターネットを介して電気機器の動作状況等を取得するシステムがある。
【発明の概要】
【発明が解決しようとする課題】
【０００３】
ところで、室内が高温になり過ぎると、室内に居る人や建具に影響が生じることがある。このため、室内が高温になっているという情報が携帯端末に提供されることが望まれている。また、このような情報は、自宅だけでなく、例えば両親宅や仕事場といった異なる場所についても、ユーザーが携帯端末で確認することができれば便宜である。
【０００４】
そこで、本発明の課題は、異なる場所の高温情報をユーザーが携帯端末で簡便に確認することができる空調システムを提供することにある。
【課題を解決するための手段】
【０００５】
本発明の第１観点に係る空調システムは、空調機と、携帯端末と、情報仲介装置と、を備える。空調機は、室内の温度を検出する室内温度センサを有する。携帯端末は、空調機のユーザーが携帯する。情報仲介装置は、公衆回線を利用して空調機と携帯端末との間で情報のやりとりを行わせる。また、携帯端末に搭載される空調管理プログラムは、登録されている複数の空調機に関する情報を含む画像を、携帯端末の表示画面に表示させることができる。さらに、登録されている空調機の有する室内温度センサの検出結果に基づき室内が所定の高温状態であると判断されたときに、前記判断結果に応じた高温情報をユーザーが確認可能なように、情報仲介装置が携帯端末に高温情報のプッシュ通知を行う。さらに、プッシュ通知が行われた際に携帯端末の表示画面に表示されるプッシュ通知画像には、空調機の運転開始に関する情報を情報仲介装置に送信するための入力部が含まれ、入力部は、所定の高温状態と判断された空調機を操作するための操作ボタンを含むものである。
【０００６】
本発明の第１観点に係る空調システムでは、登録されている空調機についての高温情報がプッシュ通知により携帯端末に提供される。このため、自宅だけでなく、例えば両親宅や仕事場といった異なる場所にある複数の空調機を登録しておくことで、異なる場所の高温情報を１つの携帯端末で受け取ることができる。
【０００７】
これによって、異なる場所の高温情報をユーザーが携帯端末で簡便に確認することができる。
【０００８】
本発明の第２観点に係る空調システムは、第１観点の空調システムにおいて、情報仲介装置は、空調機毎に接続されるアダプタを有する。また、空調管理プログラムは、アダプタ毎に、空調機を登録するための登録画面を携帯端末の表示画面に表示させることができる。このため、この空調システムでは、携帯端末から複数の空調機をアダプタ毎に登録することができる。
【０００９】
本発明の第３観点に係る空調システムは、第１観点又は第２観点のいずれかの空調システムにおいて、空調機は、送風運転を行った後に、室内温度センサの検知結果に基づき室内が所定の高温状態であるか否かを判断する。送風運転が行われることで室内の空気が循環することから、この空調システムでは、送風運転が行われた後に室内が所定の高温状態であるか否かが判断されることで、室内が高温状態であるか否かが誤って判断されるおそれを低減することができる。
【００１０】
これにより、頻繁にプッシュ通知が行われるおそれを低減することができる。
【発明の効果】
【００１１】
本発明の第１観点に係る空調システムでは、異なる場所の高温情報をユーザーが携帯端末で簡便に確認することができる。
【００１２】
本発明の第２観点に係る空調システムでは、携帯端末から複数の空調機をアダプタ毎に登録することができる。
【００１３】
本発明の第３観点に係る空調システムでは、頻繁にプッシュ通知が行われるおそれを低減することができる。
【図面の簡単な説明】
【００１４】
【図１】本発明の一実施形態に係る空調システムの構成図。
【図２】空調機及びアダプタの構成図。
【図３】サーバの構成図。
【図４】携帯端末の構成図。
【図５】機器一覧画像の一例を示す図。
【図６】設定画像の一例を示す図。
【図７】サーバ上で実行されるプッシュ通知の流れを示すフローチャート。
【図８】サーバ上で実行されるプッシュ通知の流れを示すフローチャート。
【図９】サーバ上で実行されるプッシュ通知の流れを示すフローチャート。
【図１０】プッシュ通知画像の一例を示す図。
【図１１】操作画像の一例を示す図。
【図１２】操作画像上に運転誘因メッセージ画像がポップアップ表示された一例を示す図。
【図１３】プッシュ通知画像の一例を示す図。
【図１４】プッシュ通知画像の一例を示す図。
【図１５】プッシュ通知画像の一例を示す図。
【図１６】プッシュ通知後の機器一覧画像の一例を示す図。
【図１７】変形例Ｈに係る判定図。
【発明を実施するための形態】
【００１５】
以下、図面を参照しながら、本発明の一実施形態に係る空調システム１００について説明する。なお、以下の実施形態は、本発明の具体例であって、本発明の技術的範囲を限定するものではなく、発明の要旨を逸脱しない範囲で適宜変更が可能である。
【００１６】
（１）空調システム１００の構成
（１−１）概要
図１に、空調システム１００の全体構成を示す。空調システム１００は、情報仲介装置としてのサーバ４０及びアダプタ２０ａ，２０ｂ，・・・を介してユーザーが自身の携帯する携帯端末５０から所定の空調機１０ａ，１０ｂ，・・・の情報を取得したり、所定の空調機１０ａ，１０ｂ，・・・を操作したりするためのシステムである。
【００１７】
建物３０には、公衆回線（以下、インターネットという）８０と、建物３０内に施設されているローカルエリアネットワーク（以下、ＬＡＮという）８１とを接続するルータ２１が設置されている。ＬＡＮ８１には、空調機１０ａ，１０ｂ，・・・に接続されたアダプタ２０ａ，２０ｂ，・・・が接続されている。なお、アダプタ２０ａ，２０ｂ，・・・の他に、建物３０内で使用される図示されないパソコン、プリンタ等のネットワーク機器がＬＡＮ８１に接続されていてもよい。
【００１８】
携帯端末５０によってサーバ４０を介して空調機１０ａ，１０ｂ，・・・を管理するためには、事前に各空調機１０ａ，１０ｂ，・・・をサーバ４０に登録しておく必要がある。
【００１９】
なお、簡単のために、図１には建物３０を１つしか示していないが、実際の空調システム１００には、複数の建物３０に散在する空調機１０ａ，１０ｂ，・・・が含まれているものとする。
【００２０】
（２）空調システム１００の詳細構成
（２−１）空調機１０ａ，１０ｂ，・・・
図１に示すように、空調機１０ａ，１０ｂ，・・・は、建物３０の室内３０ａ，３０ｂ，・・・に設置される室内機１１ａ，１１ｂ，・・・と、建物３０の外に設置される室外機１２ａ，１２ｂ，・・・とを有する。なお、室内機１１ａ，１１ｂ，・・・は、アダプタ２０ａ，２０ｂ，・・・と１対１で接続されている。
【００２１】
室内機１１ａ，１１ｂ，・・・と室外機１２ａ，１２ｂ，・・・とは、冷媒配管を介して接続されており、圧縮機や熱交換器等から構成される冷媒回路を形成している。
【００２２】
図２に示すように、空調機１０ａ，１０ｂ，・・・は、各種センサを有している。例えば、室内機１１ａ，１１ｂ，・・・は、室内機１１ａ，１１ｂ，・・・の設置されている室内３０ａ，３０ｂ，・・・の温度を検出する室内温度センサ１４ａを有している。室外機１２ａ，１２ｂ，・・・は、建物３０付近の外気の温度を検出する外気温度センサ１４ｂを有している。
【００２３】
また、空調機１０ａ，１０ｂ，・・・は、制御部１３を有している。制御部１３は、空調機１０ａ，１０ｂ，・・・に含まれる室内機１１ａ，１１ｂ，・・・及び室外機１２ａ，１２ｂ，・・・の制御ユニットの集合体である。
【００２４】
制御部１３は、リモコン１５を介して室内３０ａ，３０ｂ，・・・のユーザーから入力される空調機１０ａ，１０ｂ，・・・に対する運転指令に従って、空調機１０ａ，１０ｂ，・・・の運転を制御する、すなわち、冷媒回路に含まれる圧縮機等の動作を制御する。
【００２５】
また、制御部１３は、空調機１０ａ，１０ｂ，・・・に関する機器データをアダプタ２０ａ，２０ｂ，・・・に送信する。例えば、制御部１３は、リモコン１５を介して入力された空調機１０ａ，１０ｂ，・・・に対する運転指令の内容を示すデータをアダプタ２０ａ，２０ｂ，・・・に送信する。運転指令の内容を示すデータとは、空調機１０ａ，１０ｂ，・・・の運転開始／運転停止、運転モード（冷房モード、暖房モード、送風モードなど）、設定温度、後述する高温防止機能のＯＮ／ＯＦＦ設定などである。
【００２６】
制御部１３は、室内温度及び外気温度に関する温度データをアダプタ２０ａ，２０ｂ，・・・に送信する。具体的には、制御部１３は、室内温度センサ１４ａによって検出された室内温度データ、及び外気温度センサ１４ｂによって検出された外気温度データをアダプタ２０ａ，２０ｂ，・・・に送信する。
【００２７】
また、空調機１０ａ，１０ｂ，・・・は、室内３０ａ，３０ｂ，・・・が所定の高温状態であるか否かを判断するモニタリング機能を有する。本実施形態におけるモニタリングでは、制御部１３が、室内機１１ａ，１１ｂ，・・・の有する室内ファンを回転させる送風運転が所定時間（例えば５分間）行われるように運転停止中の空調機１０ａ，１０ｂ，・・・を制御した後、室内温度センサ１４ａの検知結果に基づいて室内機１１ａ，１１ｂ，・・・の設置された室内３０ａ，３０ｂ，・・・が所定の高温状態であるか否かを判断する。より具体的には、制御部１３は、送風運転後に、室内温度センサ１４ａによって検知された温度が所定温度（例えば、３０度）以上である場合には、室内３０ａ，３０ｂ，・・・が所定の高温状態であると判断する。また、制御部１３は、室内３０ａ，３０ｂ，・・・が高温状態であると判断した後に、室内温度センサ１４ａによって検知された温度が前記所定温度未満となった場合には、室内３０ａ，３０ｂ，・・・が高温状態ではなくなった高温解除状態であると判断する。なお、ユーザーは、モニタリング機能を採用するか否か、すなわちモニタリング機能をＯＮにするかＯＦＦにするかを設定可能であり、モニタリング機能がＯＮに設置されている場合にのみ、制御部１３は、高温状態にあると判断した場合に、高温状態／高温解除状態に関するデータを、アダプタ２０ａ，２０ｂ，・・・に送信する。すなわち、モニタリング機能がＯＦＦに設置されている場合には、送風運転や所定の高温状態であるか否かの判断は行われず、高温状態／高温解除状態に関するデータはアダプタ２０ａ，２０ｂ，・・・には送信されない。
【００２８】
さらに、空調機１０ａ，１０ｂ，・・・は、制御部１３によって高温状態にあると判断された場合に、自動的に空調機１０ａ，１０ｂ，・・・の冷房運転を開始し、制御部１３によって高温解除状態にあると判断された場合に自動的に空調機１０ａ，１０ｂ，・・・の冷房運転を停止する高温防止機能を有する。そして、ユーザーは、リモコン１５の設定部１５ａを操作することで高温防止機能を採用するか否か、すなわち、高温防止機能をＯＮにするかＯＦＦにするかを設定できる。高温防止機能のＯＮ／ＯＦＦ設定に関するデータは、上述したように空調機１０ａ，１０ｂ，・・・に関する機器データとしてアダプタ２０ａ，２０ｂ，・・・に送信される。
【００２９】
また、制御部１３は、アダプタ２０ａ，２０ｂ，・・・から送信されてくる制御指令を実行する。アダプタ２０ａ，２０ｂ，・・・から送信されてくる制御指令とは、例えば、室内機１１ａ，１１ｂ，・・・に対する運転指令であったり、特定の機器データをアダプタ２０ａ，２０ｂ，・・・に送信するよう命じるものであったりする。
【００３０】
（２−２）情報仲介装置
情報仲介装置は、インターネット８０を利用して、空調機１０ａ，１０ｂ，・・・と携帯端末５０との間で情報のやりとりを行わせるための装置である。情報仲介装置は、アダプタ２０ａ，２０ｂ，・・・と、ルータ２１と、サーバ４０とを有している。
【００３１】
（２−２−１）アダプタ２０ａ，２０ｂ，・・・
アダプタ２０ａ，２０ｂ，・・・は、空調機１０ａ，１０ｂ，・・・をＬＡＮ８１に接続するためのネットワークアダプタであって、本実施形態では室内機１１ａ，１１ｂ，・・・に外付けされている。なお、アダプタ２０ａ，２０ｂ，・・・は室内機１１ａ，１１ｂ，・・・に内蔵されていてもよい。
【００３２】
アダプタ２０ａ，２０ｂ，・・・は、図２に示すように、通信部２２ａと、制御部２３ａと、記憶部２４ａとを有しており、ネットワーク間での通信プロトコルの相違を吸収する通信機能の他、空調機１０ａ，１０ｂ，・・・を制御する制御機能を有している。
【００３３】
記憶部２４ａには、制御プログラム及び制御データが記憶されている。制御プログラム及び制御データは、当該制御データを参照しつつ当該制御プログラムを実行する。
【００３４】
また、記憶部２４ａには、機器データ記憶領域２５ａと、温度データ記憶領域２５ｂと、高温状態／高温解除状態データ記憶領域２５ｃと、が確保されている。機器データ記憶領域２５ａは、空調機１０ａ，１０ｂ，・・・から送信されてくる機器データを一時的に保存しておくための記憶領域である。温度データ記憶領域２５ｂは、空調機１０ａ，１０ｂ，・・・から送信されてくる温度データを一時的に保存しておくための記憶領域である。高温状態／高温解除状態データ記憶領域２５ｃは、空調機１０ａ，１０ｂ，・・・から送信されてくる高温状態に関するデータ及び高温解除状態に関するデータを一時的に保存しておくための記憶領域である。そして、制御部２３ａは、定期的に（例えば１分毎に）機器データ記憶領域２５ａ内の機器データ、温度データ記憶領域２５ｂ内の温度データ、及び高温状態／高温解除状態データ記憶領域２５ｃ内の高温状態／高温解除状態に関するデータを、定期発報データとしてサーバ４０に送信する。
【００３５】
また、記憶部２４ａには、サーバアドレス及びアダプタ２０ａ，２０ｂ，・・・の識別番号が予め記憶されている。さらに、記憶部２４ａには、サーバ４０に割り当てられた機器ＩＤが記憶されている。機器ＩＤは、サーバ４０上でアダプタ２０ａ，２０ｂ，・・・を一意に識別する情報となる。
【００３６】
（２−２−２）ルータ２１
ルータ２１は、アダプタ２０ａ，２０ｂ，・・・がＬＡＮ８１に接続されると、アダプタ２０ａ，２０ｂ，・・・の存在を自動的に検出し、アダプタ２０ａ，２０ｂ，・・・のネットワーク情報の登録を行う。これにより、アダプタ２０ａ，２０ｂ，・・・は、ＬＡＮ８１内の他のネットワーク機器、及びインターネット８０上のネットワーク機器との通信が可能になる。
【００３７】
（２−２−３）サーバ４０
図３に示すように、サーバ４０は、通信部４１と、制御部４２と、記憶部４３とを有している。
【００３８】
通信部４１は、サーバ４０の通信機能を担っており、サーバ４０のインターネット８０への接続、すなわち空調機１０ａ，１０ｂ，・・・と携帯端末５０との通信を可能にしている。
【００３９】
記憶部４３には、空調機１０ａ，１０ｂ，・・・に関する各種データを蓄積するための様々なデータベースが定義されている。
【００４０】
例えば、記憶部４３には、アダプタ２０ａ，２０ｂ，・・・からサーバ４０へとインターネット８０を介して送信されてくる、定期発報データを蓄積する定期発報データベース４３ａが定義されている。なお、定期発報データベース４３ａには、空調機１０ａ，１０ｂ，・・・に関する各種データが当該空調機１０ａ，１０ｂ，・・・に接続されているアダプタ２０ａ，２０ｂ，・・・に割り当てられた機器ＩＤに関連付けられた態様で格納される。このため、アダプタ２０ａ，２０ｂ，・・・毎に、すなわち空調機１０ａ，１０ｂ，・・・毎に、空調機１０ａ，１０ｂ，・・・に関する各種データを管理することができる。
【００４１】
また、記憶部４３には、空調機１０ａ，１０ｂ，・・・に関する基本的な登録情報（以下、基本情報）を格納する基本情報データベース４３ｂが定義されている。基本情報データベース４３ｂには、アダプタ２０ａ，２０ｂ，・・・の機器ＩＤ、当該アダプタ２０ａ，２０ｂ，・・・が接続された空調機１０ａ，１０ｂ，・・・の保有する各種機能に関するデータなどが１つのレコードとして格納される。基本情報データベース４３ｂ内のレコードは、空調機１０ａ，１０ｂ，・・・に１対１で対応する。
【００４２】
さらに、記憶部４３には、空調機１０ａ，１０ｂ，・・・のユーザーによる各種設定に関する情報を格納する設定情報データベース４３ｃが定義されている。設定情報データベース４３ｃには、登録された空調機１０ａ，１０ｂ，・・・のアダプタ２０ａ，２０ｂ，・・・の機器ＩＤ、該空調機１０ａ，１０ｂ，・・・に対してユーザーが任意で設定した機器名称、当該アダプタ２０ａ，２０ｂ，・・・に接続された空調機１０ａ，１０ｂ，・・・の高温防止機能のＯＮ／ＯＦＦ設定、当該空調機１０ａ，１０ｂ，・・・の外部からの操作の可否（ＯＮ／ＯＦＦ）、当該空調機１０ａ，１０ｂ，・・・のユーザーに割り当てられているログインＩＤ及びパスワードを含むユーザーの個人情報、ユーザーの携帯する携帯端末５０へのプッシュ通知の要否（ＯＮ／ＯＦＦ）などが１つのレコードとして格納される。パスワードは、ユーザーがサーバ４０にログインＩＤでログインする際のログイン権限を認証するためのものである。設定情報データベース４３ｃ内のレコードは、ユーザーに１対１で対応する。
【００４３】
制御部４２は、ＣＰＵ、ＲＡＭ及びＲＯＭ等から構成されており、記憶部４３に記憶されている制御プログラムを実行する。また、制御部４２は、上記データベースに格納されている各種データを、インターネット８０を介してユーザーの携帯端末５０に送信する。なお、制御部４２は、プッシュ通知によって送信する所定の情報以外は、インターネット８０を介した携帯端末５０からの情報送信要求に応じて、携帯端末５０に各種データを送信する。また、制御部４２は、インターネット８０を介して携帯端末５０から受信した操作情報を制御指令としてアダプタ２０ａ，２０ｂ，・・・に送信する。なお、この制御指令は、アダプタ２０ａ，２０ｂ，・・・から定期発報データを受けた時に、サーバ４０からアダプタ２０ａ，２０ｂ，・・・に対して送信される。また、各空調機１０ａ，１０ｂ，・・・はアダプタ２０ａ，２０ｂ，・・・の機器ＩＤにより識別されている。
【００４４】
また、制御部４２は、携帯端末５０にプッシュによる通知を行う。ここで、プッシュとは、サーバ４０が携帯端末５０からの情報送信要求によらず能動的に携帯端末５０に対して所定の情報を通知する仕組みである。プッシュ通知は、電子メール又はショートメールメッセージサービスであってもよく、独自の形式のデータであってもよい。そして、本実施形態では、登録されている空調機１０ａ，１０ｂ，・・・の有する室内温度センサ１４ａの検知結果に基づき室内３０ａ，３０ｂ，・・・が所定の高温状態であると判断されたときに、前記判断結果に応じた所定の高温情報及び所定の高温解除情報をユーザーが確認可能なように、サーバ４０の制御部４２が携帯端末５０に高温情報及び高温解除情報のプッシュ通知を行う。なお、本実施形態ではプッシュ通知として高温情報及び高温解除情報が携帯端末５０に送信されているが、プッシュ通知として少なくとも高温情報が携帯端末５０に送信されればよい。
【００４５】
さらに、制御部４２は、高温情報のプッシュ通知を行った後、所定条件が満たされた場合には、空調機１０ａ，１０ｂ，・・・の運転開始に関するメッセージを含む運転誘因メッセージ画像がポップアップ表示されるように、運転誘因メッセージ画像情報を携帯端末５０に送信する。ここで、所定条件には、高温防止機能がＯＦＦに設定されているとうい条件、プッシュ通知設定がＯＮであるという条件、高温情報のプッシュ通知を行った後高温解除状態に関するデータが送信されていないという条件、及び携帯端末５０からアクセスがあったという条件が含まれる。そして、本実施形態では、所定条件の全てが満たされた場合に、サーバ４０は運転誘因メッセージ画像情報を携帯端末５０に送信する。
【００４６】
（２−３）携帯端末５０
携帯端末５０は、空調機１０ａ，１０ｂ，・・・のユーザーが携帯するものであって、例えば携帯電話、スマートフォン、タブレットコンピュータ、ノート型パソコンなどの可搬性のコンピュータが挙げられる。以下より、携帯端末としてスマートフォン５０が採用されている場合を例として説明する。
【００４７】
図４に示すように、スマートフォン５０は、通信部５１と、制御部５２と、出力部５４と、入力部５６と、記憶部５３とを有している。通信部５１は、通話機能の他、インターネット８０への接続機能を実装している。制御部５２は、ＣＰＵ、ＲＡＭ及びＲＯＭ等からなり、記憶部５３はフラッシュメモリ等からなる。出力部５４は、表示画面５５を含む。入力部５６は、操作ボタン群等からなり、表示画面５５に表示される画像中に含まれる。
【００４８】
スマートフォン５０には、スマートフォン５０を用いて空調機１０ａ，１０ｂ，・・・を管理するための空調管理プログラムが搭載される。空調管理プログラムは、インターネット８０を介してサーバ４０からダウンロードすることができる。この空調管理プログラムは、サーバ４０に登録されている複数の空調機１０ａ，１０ｂ，・・・に関する情報を含む画像を、スマートフォン５０の表示画面５５に表示させることができる。そして、ユーザーは、空調管理プログラムにより生成され表示画面５５に提供される画像を介して、サーバ４０に登録されている空調機１０ａ，１０ｂ，・・・の機器設定、及び空調機１０ａ，１０ｂ，・・・の操作などを行う。なお、空調管理プログラムには、サーバアドレスが保持されている。
【００４９】
（３）各種設定
（３−１）初期設定
空調機１０ａ，１０ｂ，・・・の初期設定は、空調機１０ａ，１０ｂ，・・・に接続されているアダプタ２０ａ，２０ｂ，・・・により自動的に実行される処理である。より具体的には、アダプタ２０ａ，２０ｂ，・・・は、ＬＡＮ８１に接続されると、ルータ２１を介して自身の存在を自動的にサーバ４０に送信するようにプログラムされている。当該送信時には、アダプタ２０ａ，２０ｂ，・・・からサーバ４０へと、各アダプタ２０ａ，２０ｂ，・・・の識別番号が送信される。
【００５０】
サーバ４０の制御部４２は、アダプタ２０ａ，２０ｂ，・・・から識別番号が送信されると、各アダプタ２０ａ，２０ｂ，・・・の識別番号毎に個別の機器ＩＤを作成し、該識別番号及び作成した該機器ＩＤとを関連付ける態様で、基本情報データベース４３ｂに登録する。また、サーバ４０の制御部４２は、該機器ＩＤを、対応するアダプタ２０ａ，２０ｂ，・・・に送信する。
【００５１】
アダプタ２０ａ，２０ｂ，・・・は、サーバ４０から機器ＩＤが送信されると、機器ＩＤを記憶部２４ａする。次に、アダプタ２０ａ，２０ｂ，・・・は、各アダプタ２０ａ，２０ｂ，・・・に接続されている空調機１０ａ，１０ｂ，・・・の保有する各種機能に関するデータをサーバ４０に送信する。
【００５２】
サーバ４０の制御部４２は、アダプタ２０ａ，２０ｂ，・・・から空調機１０ａ，１０ｂ，・・・の保有する各種機能に関するデータが送信されると、各アダプタ２０ａ，２０ｂ，・・・の機器ＩＤと空調機１０ａ，１０ｂ，・・・の保有する各種機能に関するデータとを関連付ける態様で、基本情報データベース４３ｂに登録する。これにより、サーバ４０に空調機１０ａ，１０ｂ，・・・の登録が行われ、空調機１０ａ，１０ｂ，・・・の初期設定が終了する。
【００５３】
（３−２）空調機１０ａ，１０ｂ，・・・の機器設定
空調機１０ａ，１０ｂ，・・・の機器設定は、ユーザーが建物３０内でスマートフォン５０を手動で操作しつつ実行する処理である。ユーザーは、サーバ４０からインターネット８０を介して表示画面５５に提供される画像を通じて空調機１０ａ，１０ｂ，・・・の機器設定を行う。なお、空調機１０ａ，１０ｂ，・・・の機器設定は、空調機１０ａ，１０ｂ，・・・の初期設定後に実行される必要がある。
【００５４】
空調機１０ａ，１０ｂ，・・・の機器設定では、ユーザーは、スマートフォン５０に搭載されている空調管理プログラムを起動し、サーバ４０にアクセスする。かかるアクセスを受けて、サーバ４０の処理が開始する。
【００５５】
サーバ４０は、基本情報データベース４３ｂに登録されている空調機１０ａ，１０ｂ，・・・の中からアクセス元であるスマートフォン５０と同じＬＡＮ８１内に存在するものを選択し、該スマートフォン５０と同じＬＡＮ８１内に繋がる全ての空調機１０ａ，１０ｂ，・・・を表示した画像に関する情報をスマートフォン５０に送信する。これにより、スマートフォン５０の表示画面５５に、登録されている空調機１０ａ，１０ｂ，・・・の一覧を確認することができる画像（図５参照、以下、機器一覧画像という）が表示される。
【００５６】
続いて、ユーザーが機器一覧画像に含まれる入力部５６としての「編集」ボタン５６ａをタップすると、空調機１０ａ，１０ｂ，・・・の機器名称、空調機１０ａ，１０ｂ，・・・の設置場所、空調機１０ａ，１０ｂ，・・・の外部からの操作の可否及びプッシュ通知の要否を設定するための設定画像（図６参照）に、機器一覧画像から遷移する。
【００５７】
例えば、ユーザーが設定画像に含まれる入力部５６としての「外から操作設定」ボタン５６ｂをタップして、外から操作設定を「ＯＮ」にすると、外から操作設定「ＯＮ」の情報がスマートフォン５０からサーバ４０に送信される。サーバ４０では、外部からの空調機１０ａ，１０ｂ，・・・の操作が可能となるように該情報を設定情報データベース４３ｃに登録する。同時に、サーバ４０は、パスワード設定画像に関する情報をスマートフォン５０に送信する。パスワード設定画像に関する情報がサーバ４０から送信されることで、スマートフォン５０の表示画面５５にパスワードの設定を促すパスワード設定画像が表示される。このとき、ユーザーがパスワード設定画像上の入力部を操作して任意のパスワードを入力して設定することで、パスワードに関する情報がスマートフォン５０からサーバ４０に送信される。パスワードに関する情報がサーバ４０に送信されると、サーバ４０の制御部４２は、ログインＩＤを作成し、作成したログインＩＤと該パスワードとを関連付けて設定情報データベース４３ｃに記憶するとともに、該ログインＩＤ及び該パスワードを表示した確認画像に関するする情報をスマートフォン５０に送信する。これにより、スマートフォン５０の表示画面５５には、ログインＩＤ及びパスワードを確認することのできる確認画像が表示される。
【００５８】
ところで、次回、空調管理プログラムを起動すると、ログインＩＤ及びパスワードの入力箇所を含む初期画像がスマートフォン５０の表示画面５５に表示される。このとき、ユーザーは、初期画像に含まれるログインＩＤ及びパスワードの入力箇所に、提供されたログインＩＤ及び設定したパスワードを入力しなければ、設定情報データベース４３ｃに登録されている空調機１０ａ，１０ｂ，・・・を建物３０の外部からスマートフォン５０により操作することができない。このように、スマートフォン５０を用いて外部から空調機１０ａ，１０ｂ，・・・を操作する際にログイン権限の有無が確かめられるようにログインＩＤ及びパスワードの入力を必須とすることで、不正な遠隔操作を避け安全に操作することができる。
【００５９】
なお、空調管理プログラムが起動され、初期画像に含まれるログインＩＤ及びパスワードの入力箇所にログインＩＤ及びパスワードが入力されると、スマートフォン５０からサーバ４０に情報送信要求が送信される。かかる情報送信要求を受けて、サーバ４０はデータベースに記憶されている空調機１０ａ，１０ｂ，・・・に関する各種データをスマートフォン５０に送信する。これを受けて、スマートフォン５０の表示画面５５には機器一覧画像が表示される。そして、ユーザーは、表示画面５５上の機器一覧画像に含まれる空調機１０ａ，１０ｂ，・・・のアイコンをタップすることで、各アイコンに対応する空調機１０ａ，１０ｂ，・・・に関する情報を表示画面５５上で確認したり、各アイコンに対応する空調機１０ａ，１０ｂ，・・・を操作したりすることができる。
【００６０】
また、ユーザーが図６に示す設定画像に含まれる入力部５６としての「プッシュ通知設定」ボタン５６ｃをタップして、プッシュ通知設定を「ＯＮ」にすると、プッシュ通知設定「ＯＮ」の情報がスマートフォン５０からサーバ４０に送信される。該情報を受信したサーバ４０は、スマートフォン５０へのプッシュ通知が可能となるように該情報を設定情報データベース４３ｃに記憶する。これにより、ユーザーがスマートフォン５０に搭載されている空調管理プログラムを起動しなくても、プッシュ通知としてサーバ４０が強制的に所定の情報をスマートフォン５０に送信する。なお、所定の情報には、定期発報データベース４３ａに記憶されている高温状態／高温解除状態に関するデータに関する情報が含まれる。また、本実施形態では、外から操作設定が「ＯＦＦ」になっている場合、及び設定画像を操作してプッシュ通知設定を「ＯＮ」にする操作が行われていない場合すなわちプッシュ通知設定が「ＯＦＦ」となっている場合には、プッシュ通知は行われないものとする。
【００６１】
また、図５に示すように、複数の空調機１０ａ，１０ｂ，・・・のアイコンが機器一覧画像中に表示されている場合には、各アイコンをタップした後に「編集」ボタン５６ａをタップすることで、タップしたアイコンに対応する空調機１０ａ，１０ｂ，・・・の機器設定を行うための設定画像に、機器一覧画像から遷移する。このため、ユーザーは、空調機１０ａ，１０ｂ，・・・の機器名称、空調機１０ａ，１０ｂ，・・・の設置場所、外部からの空調機１０ａ，１０ｂ，・・・の操作の可否及びプッシュ通知の要否の設定を、アイコンに対応する空調機１０ａ，１０ｂ，・・・毎に行うことができる。すなわち、ユーザーは、スマートフォン５０を用いて、所定の高温情報及び所定の高温解除情報のプッシュ通知を取得する空調機１０ａ，１０ｂ，・・・を、空調機１０ａ，１０ｂ，・・・毎（アダプタ２０ａ，２０ｂ，・・・毎）にサーバ４０に登録することができる。
【００６２】
（４）プッシュ通知
以下、図７−図１５を参照して、プッシュ通知が行われる場合の一例について説明する。図７−図９は、サーバ４０における処理の流れを示すフローチャートである。また、図１０−図１５では、複数の空調機１０ａ，１０ｂ，・・・のうちの１つの空調機の機器名称が「リビングエアコン」に設定されている場合を例として描いている。なお、以下の処理は一例であって、サーバ４０においてこれと異なる処理が実行されてもよい。
【００６３】
ステップＳ１では、高温状態に関するデータを受信しているか否かが判断される。具体的には、室内３０ａ，３０ｂ，・・・が所定の高温状態である場合に空調機１０ａ，１０ｂ，・・・からアダプタ２０ａ，２０ｂ，・・・を介してサーバ４０に送信される高温状態に関するデータが定期発報データベース４３ａに格納されているか否かが判断される。そして、Ｙｅｓの場合、すなわち、定期発報データベース４３ａに該高温状態に関するデータが格納されている場合には、ステップＳ２へ進む。一方で、Ｎｏの場合、すなわち、定期発報データベース４３ａに該高温状態に関するデータが格納されていない場合には、ステップＳ１に戻る。
【００６４】
ステップＳ２では、プッシュ通知の可否が判断される。具体的には、設定情報データベース４３ｃにプッシュ通知設定が「ＯＮ」と記憶されている場合、すなわちプッシュ通知が必要と設定されている場合には、ステップＳ３に進む。一方で、設定情報データベース４３ｃにプッシュ通知設定が「ＯＦＦ」と記憶されている場合、すなわちプッシュ通知が不要と設定されている場合には、プッシュ通知に関する処理を終了する。
【００６５】
ステップＳ３では、高温防止機能がＯＦＦ設定であるか否かが判断される。そして、Ｙｅａの場合、すなわち、設定情報データベース４３ｃに高温防止機能がＯＦＦ設定と記憶されている場合には、ステップＳ４へ進む。一方で、Ｎｏの場合、すなわち、設定情報データベース４３ｃに高温防止機能がＯＮ設定と記憶されている場合には、ステップＳ１０へ進む。
【００６６】
ステップＳ４では、ユーザーの携帯するスマートフォン５０に所定の高温情報のプッシュ通知を行う。該プッシュ通知が行われると、所定の高温情報として「室温が高くなっています。冷房運転を開始してください。」というメッセージ、入力部５６としての「閉じる」ボタン５６ｄ及び「表示」ボタン５６ｅを含むプッシュ通知画像（図１０参照）が、スマートフォン５０の表示画面５５に表示される。その後、ステップＳ５に進む。
【００６７】
ステップＳ５では、ユーザーのスマートフォン５０（携帯端末）からサーバ４０にアクセスがあったか否かが判断される。ここで、プッシュ通知が行われることにより表示画面５５上に表示されるプッシュ通知画像中の「表示」ボタン５６ｅがタップされることで、空調管理プログラムが起動してスマートフォン５０からサーバ４０に情報送信要求が送信される。サーバ４０は、スマートフォン５０から情報送信要求があったか否かを判断することで、スマートフォン５０からアクセスがあったか否かを判断する。そして、Ｙｅｓの場合、すなわち、スマートフォン５０からサーバ４０に情報送信要求があった場合には、ステップＳ６に進む。一方で、Ｎｏの場合、すなわち、スマートフォン５０からサーバ４０に情報送信要求がなかった場合には、ステップＳ５に戻る。
【００６８】
ステップＳ６では、スマートフォン５０からのアクセスを受けて、定期発報データとしてアダプタ２０ａ，２０ｂ，・・・から高温解除状態に関するデータが送信されたか否かが判断される。具体的には、ステップＳ４において所定の高温情報のプッシュ通知を行った後に、空調機１０ａ，１０ｂ，・・・からアダプタ２０ａ，２０ｂ，・・・を介してサーバ４０に送信される高温解除状態に関するデータが定期発報データベース４３ａに格納されているか否かが判断される。そして、Ｙｅｓの場合、すなわち、定期発報データベース４３ａに該高温解除状態に関するデータが格納されている場合には、ステップＳ９へ進む。一方で、Ｎｏの場合、すなわち定期発報データベース４３ａに該高温解除状態に関するデータが格納されていない場合には、ステップＳ７へ進む。
【００６９】
ステップＳ７では、スマートフォン５０の表示画面５５に運転開始を促すメッセージを
含む運転誘因メッセージ画像をポップアップ表示させるための運転誘因メッセージ画像情報を送信する。該運転誘因メッセージ画像情報がサーバ４０からスマートフォン５０に送信されることで、メッセージとして「高温を検知するため送風運転中です。運転モードを冷房に変更してください。」というメッセージを含む運転誘因メッセージ画像（図１２参照）が、表示画面５５の操作画像（図１１参照）上にポップアップ表示される。そして、ステップＳ８に進む。
【００７０】
なお、操作画像は、所定の高温状態と判断した空調機１０ａ，１０ｂ，・・・を操作するために用いられる画像であって、入力部５６としての「運転モード」ボタン５６ｆを含んでいる。また、プッシュ通知画像中の「表示」ボタン５６ｅがタップされることで、スマートフォン５０の表示画面５５の画像が、プッシュ通知画像から操作画像に遷移する。そして、ユーザーは、操作画像上の「運転モード」ボタン５６ｆをタップすることで、サーバ４０を介して所定の高温状態と判断した空調機１０ａ，１０ｂ，・・・の運転モードを冷房モードにして空調機１０ａ，１０ｂ，・・・の冷房運転を開始させたり、送風モードから冷房モードに運転モードを切り替えて送風運転から冷房運転に空調機１０ａ，１０ｂ，・・・の運転を切り替えさせたりすることができる。
【００７１】
ステップＳ８では、定期発報データとしてアダプタ２０ａ，２０ｂ，・・・から高温解除状態に関するデータが送信されたか否かが判断される。具体的には、ステップＳ７において運転誘因メッセージ画像のポップアップ表示を行った後に、空調機１０ａ，１０ｂ，・・・からアダプタ２０ａ，２０ｂ，・・・を介してサーバ４０に送信される高温解除状態に関するデータが定期発報データベース４３ａに格納されているか否かが判断される。そして、Ｙｅｓの場合、すなわち、定期発報データベース４３ａに該高温解除状態に関するデータが格納されている場合には、ステップＳ９へ進む。一方で、Ｎｏの場合、すなわち定期発報データベース４３ａに該高温解除状態に関するデータが格納されていない場合には、ステップＳ８に戻る。
【００７２】
ステップＳ９では、ユーザーの携帯するスマートフォン５０に所定の高温解除情報のプッシュ通知を行う。該プッシュ通知が行われると、所定の高温解除情報として「室温が低くなりました。」というメッセージ、及び入力部５６としての「閉じる」ボタン５６ｄを含むプッシュ通知画像（図１３参照）が、スマートフォン５０の表示画面５５に表示される。これにより、プッシュ通知に関する処理が終了する。
【００７３】
ステップＳ１０では、ユーザーの携帯するスマートフォン５０に所定の高温情報のプッシュ通知を行う。該プッシュ通知が行われると、所定の高温情報として「室温が高くなっています。冷房運転を開始しました。」というメッセージ、入力部５６としての「閉じる」ボタン５６ｄを含むプッシュ通知画像（図１４参照）が、スマートフォン５０の表示画面５５に表示される。その後、ステップＳ１１に進む。
【００７４】
ステップＳ１１では、定期発報データとしてアダプタ２０ａ，２０ｂ，・・・から高温解除状態に関するデータが送信されたか否かが判断される。具体的には、ステップＳ１０において所定の高温情報のプッシュ通知を行った後に、空調機１０ａ，１０ｂ，・・・からアダプタ２０ａ，２０ｂ，・・・を介してサーバ４０に送信される高温解除状態に関するデータが定期発報データベース４３ａに格納されているか否かが判断される。そして、Ｙｅｓの場合、すなわち、定期発報データベース４３ａに該高温解除状態に関するデータが格納されている場合には、ステップＳ１２へ進む。一方で、Ｎｏの場合、すなわち定期発報データベース４３ａに該高温解除状態に関するデータが格納されていない場合には、ステップＳ１１に戻る。
【００７５】
ステップＳ１２では、ユーザーの携帯するスマートフォン５０に所定の高温解除情報のプッシュ通知を行う。該プッシュ通知が行われると、所定の高温解除情報として「室温が低くなったため、冷房運転を停止しました。」というメッセージ、及び入力部５６としての「閉じる」ボタン５６ｄを含むプッシュ通知画像（図１５参照）が、スマートフォン５０の表示画面５５に表示される。これにより、プッシュ通知に関する処理が終了する。
【００７６】
（５）特徴
（５−１）
本実施形態では、登録されている空調機１０ａ，１０ｂ，・・・についての所定の高温情報が、プッシュ通知によりスマートフォン５０に提供される。このため、ユーザーは、建物３０として自宅だけでなく、両親宅や仕事場といった異なる場所にある複数の空調機を登録しておくことで、異なる場所にある高温情報を、１つのスマートフォン５０で受け取ることができる。
【００７７】
これによって、異なる場所の高温情報をユーザーがスマートフォン５０で簡便に確認することができている。
【００７８】
また、ユーザーは、スマートフォン５０に搭載されている空調管理プログラムを起動しなくても、所定の高温情報をスマートフォン５０で確認することができるため、タイムリーに所定の高温情報を取得することができる。
【００７９】
なお、本実施形態では、登録されている空調機１０ａ，１０ｂ，・・・についての所定の高温解除情報が、プッシュ通知によりスマートフォン５０に提供される。このため、ユーザーは、該プッシュ通知により、該空調機１０ａ，１０ｂ，・・・の冷房運転を開始させる操作が不要であることを認識することができる。
【００８０】
さらに、本記実施形態では、室内３０ａ，３０ｂ，・・・が所定の高温状態であると判断されてプッシュ通知が行われてから、室内３０ａ，３０ｂ，・・・の高温状態が解除されたと判断されるまでは、プッシュ通知は行われない。すなわち、室内３０ａ，３０ｂ，・・・の高温状態が継続している場合であっても、高温情報のプッシュ通知は行われない。これは、再度の高温情報のプッシュ通知を行わなくても、室内３０ａ，３０ｂ，・・・が所定の高温状態であると判断されたときに行われる高温情報のプッシュ通知によって、室内３０ａ，３０ｂ，・・・が所定の高温状態であることをユーザーが確認できるためである。
【００８１】
（５−２）
本実施形態では、空調管理プログラムは、アダプタ２０ａ，２０ｂ，・・・毎に、プッシュ通知を取得する空調機１０ａ，１０ｂ，・・・をサーバ４０に登録するための設定画像を表示画面５５に表示させることができる。このため、ユーザーは、スマートフォン５０を用いて、所定の高温情報及び所定の高温解除情報のプッシュ通知を取得する空調機１０ａ，１０ｂ，・・・を、空調機１０ａ，１０ｂ，・・・毎（アダプタ２０ａ，２０ｂ，・・・毎）にサーバ４０に登録することができている。
【００８２】
また、ユーザーは、自宅、両親宅及び仕事場にある複数の空調機のうちの所定の空調機だけをプッシュ通知を取得する空調機として登録しておくことで、室内３０ａ，３０ｂ，・・・の状況の監視を希望する空調機のみのプッシュ通知を取得することができるなど、ユーザーの好みに応じた設定が可能である。
【００８３】
（５−３）
本実施形態では、プッシュ通知画像には、所定の高温状態と判断した空調機１０ａ，１０ｂ，・・・を操作するための操作画像であって入力部５６としての「運転モード」ボタン５６ｆを含む操作画像に、プッシュ通知画像から画像を遷移させるための入力部５６としての「表示」ボタン５６ｅが含まれる。そして、ユーザーは、表示画面５５上に表示された操作画像中の「運転モード」ボタン５６ｆをタップすることで、所定の高温状態と判断した空調機１０ａ，１０ｂ，・・・の運転モードを冷房モードにする操作情報を、サーバ４０に送信することができる。このように、ユーザーは表示画面５５上に表示されたプッシュ通知画像中の「表示」ボタン５６ｅをタップするだけで、プッシュ通知画像から該操作画像に画像を遷移させることができるため、プッシュ通知があった後に空調管理プログラムを起動させてログインＩＤ及びパスワードを入力しその後表示される機器一覧画像から所定の高温状態と判断した空調機１０ａ，１０ｂ，・・・を選択し該空調機１０ａ，１０ｂ，・・・の運転モードを冷房モードにする操作を行う場合と比較して、プッシュ通知後の空調機１０ａ，１０ｂ，・・・の冷房運転開始操作を簡易に行うことができている。
【００８４】
（５−４）
ここで、本実施形態では、空調機１０ａ，１０ｂ，・・・において冷房運転が行われている場合だけでなく、空調機１０ａ，１０ｂ，・・・においてモニタリングが行われている場合すなわち送風運転が行われている場合にも、表示画面５５に表示される操作画像中には、「高温防止運転中」と表示される。このため、操作画像中の「高温防止運転中」の表示を見たユーザーは、送風運転が行われている場合であっても、空調機１０ａ，１０ｂ，・・・において冷房運転が行われていると誤って認識するおそれがある。
【００８５】
そこで、本実施形態では、サーバ４０の制御部４２は、高温情報のプッシュ通知を行った後、所定条件が満たされた場合には、空調機１０ａ，１０ｂ，・・・の運転開始に関するメッセージを含む運転誘因メッセージ画像がポップアップ表示されるように、運転誘因メッセージ画像情報をスマートフォン５０に送信する。この所定条件には、高温防止機能がＯＦＦになっているとうい条件、プッシュ通知設定がＯＮであるという条件、高温情報のプッシュ通知を行った後高温解除状態に関するデータが送信されていないという条件、及びスマートフォン５０からアクセスがあったという条件が含まれる。そして、空調管理プログラムは、該運転誘因メッセージ画像情報を受けて、空調機１０ａ，１０ｂ，・・・の運転開始に関するメッセージを含む運転誘因メッセージ画像を、表示画面５５の操作画像上にポップアップ表示させる。このため、ユーザーが空調機１０ａ，１０ｂ，・・・の冷房運転を開始するように促すことができている。
【００８６】
（５−５）
本実施形態のモニタリングでは、室内の空気が循環する送風運転後に、室内温度センサ１４ａの検知結果に基づいて室内機１１ａ，１１ｂ，・・・の設置された室内３０ａ，３０ｂ，・・・が所定の高温状態であるか否かが判断される。このため、送風運転が行われずにモニタリングが行われる場合と比較して、室内３０ａ，３０ｂ，・・・が所定の高温状態であるか否かが誤って判断されるおそれを低減することができる。
【００８７】
これにより、頻繁にプッシュ通知が行われるおそれを低減することができている。
【００８８】
（６）変形例
（６−１）変形例Ａ
上記実施形態に加えて、ユーザーがスマートフォン５０を操作して空調機１０ａ，１０ｂ，・・・の機器設定として空調機１０ａ，１０ｂ，・・・の機器名称を設定する際に、空調機１０ａ，１０ｂ，・・・の機器名称の重複設定ができないように空調管理プログラムが設計されていてもよい。これにより、サーバ４０に複数の空調機１０ａ，１０ｂ，・・・が登録されている場合でも、ユーザーは、建物３０内に設置された複数の空調機１０ａ，１０ｂ，・・・のうちのどの空調機１０ａ，１０ｂ，・・・に関する情報であるのかを認識しやすくなる。
【００８９】
（６−２）変形例Ｂ
ユーザーが複数の携帯端末５０を所有している場合には、各携帯端末５０に対して所定の高温情報及び所定の高温解除情報のプッシュ通知が行われてもよい。
【００９０】
（６−３）変形例Ｃ
上記実施形態に加えて、プッシュ通知があった後、各空調機１０ａ，１０ｂ，・・・に関する新たなデータがアダプタ２０ａ，２０ｂ，・・・からサーバ４０に送信された場合には、空調管理プログラムが起動された際にスマートフォン５０の表示画面５５に表示される機器一覧画像には、新たな情報があることをユーザーが確認できるように所定のマーク（例えば、図１６に示すような「Ｎ」など）が表示されてもよい。
【００９１】
さらに、過去の履歴が各携帯端末５０上で確認できるように、携帯端末５０毎に履歴管理がおこなわれてもよい。なお、履歴管理としては、確認されていない履歴情報が削除されることを防止するために、日にちによる管理よりも件数による管理が行われることが好ましい。
【００９２】
（６−４）変形例Ｄ
上記実施形態では、プッシュ通知設定が「ＯＮ」であり、かつ外から操作設定が「ＯＮ」である場合にのみ、プッシュ通知が行われる。これに代えて、プッシュ通知設定が「ＯＮ」である場合には、外から操作設定が「ＯＦＦ」であっても、プッシュ通知が行われてもよい。
【００９３】
（６−５）変形例Ｅ
上記実施形態に加えて、室内３０ａ，３０ｂ，・・・が所定の高温状態であること、及び／又は、室内３０ａ，３０ｂ，・・・の高温状態が解除されたことが、室内機１１ａ，１１ｂ，・・・から音声により報知がされてもよい。さらに、室内３０ａ，３０ｂ，・・・の高温状態が継続していることが、室内機１１ａ，１１ｂ，・・・から音声により報知がされてもよい。
【００９４】
（６−６）変形例Ｆ
上記実施形態に加えて、高温防止機能の設定や運転モードが変更されることで、空調機１０ａ，１０ｂ，・・・のモニタリングや冷房運転が中止された場合には、スマートフォン５０に提供される情報との整合性がとれない場合があるため、サーバ４０から高温情報及び高温解除情報のプッシュ通知が行われなくてもよい。
【００９５】
（６−７）変形例Ｇ
上記実施形態において、モニタリング時に送風運転中であることを室内３０ａ，３０ｂ，・・・に居るユーザーが認識できるように、室内機１１ａ，１１ｂ，・・・の有する報知ＬＥＤが点灯していてもよい。
【００９６】
また、モニタリング時の送風運転から冷房運転への運転モードの切り替えはリモコン１５及びスマートフォン５０からすることができるが、モニタリング時の送風運転中、高温情報のプッシュ通知中、及び高温防止としての冷房運転中には、リモコン１５及びスマートフォン５０において、空調機１０ａ，１０ｂ，・・・の運転停止の操作ができないように設計されていてもよい。また、この場合、外出先のユーザーが空調機１０ａ，１０ｂ，・・・の運転停止の操作ができないことを認識できるように、スマートフォン５０の表示画面５５に「高温防止動作中のため、運転停止できません」というメッセージを含む画像が表示されてもよい。
【００９７】
（６−８）変形例Ｈ
上記実施形態のモニタリングでは、送風運転後、室内温度センサ１４ａによって検知された温度が所定温度（例えば、３０度）以上である場合に、室内３０ａ，３０ｂ，・・・が所定の高温状態であると判断されている。
【００９８】
これに代えて、室内機１１ａ，１１ｂ，・・・が、室内機１１ａ，１１ｂ，・・・の設置されている室内３０ａ，３０ｂ，・・・の湿度を検出する室内湿度センサを有している場合には、所定の高温状態であるか否かの判断に、室内温度センサ１４ａ及び室内湿度センサによる検知結果が利用されてもよい。
【００９９】
室内温度及び室内湿度が所定の高温状態であるか否かの判断に利用される場合として、例えば、図１７に示すような、高温ゾーンと、モニタリングゾーンと、待機ゾーンとに分けられた判定図が用いられてもよい。ここで、高温ゾーンとは、室内が高温高湿状態であって、室内温度及び室内湿度を下げる必要がある領域である。モニタリングゾーンとは、高温ゾーンに近い領域であって、室内温度や室内湿度が高温ゾーンに変化しやすい領域である。待機ゾーンとは、高温ゾーンに遠い領域であり、室内温度や室内湿度を低下させる必要がない領域である。
【０１００】
図１７の判定図において、点Ａ〜点Ｆは、所定の室内温度及び室内湿度の点を示す。点Ａは、室内温度が２７℃であり、室内湿度が１００％である点である。点Ｂは、室内温度が２７℃であり、室内湿度が７０〜８０％の間にある点である。点Ｃは、室内温度が３３℃であり、室内湿度が３０％である点である。点Ｄは、室内温度が２８℃であり、室内湿度が１００％である点である。点Ｅは、室内温度が２８℃であり、室内湿度が７０〜８０％の間にある点である。点Ｆは、室内温度が３４℃であり、室内湿度が３０〜４０％の間にある点である。また、点Ａ、点Ｂ及び点Ｃを接続した線が、待機ゾーンとモニタリングゾーンとの間の線であって、点Ｄ、点Ｅ及び点Ｆを接続した線が、モニタリングゾーンと高温ゾーンとの間の線である。
【０１０１】
そして、制御部１３は、室内温度センサ１４ａ及び室内湿度センサによる検知結果が高温ゾーンにある場合には、室内３０ａ，３０ｂ，・・・が所定の高温状態であると判断する。また、制御部１３は、室内温度センサ１４ａ及び室内湿度センサによる検知結果がモニタリングゾーンにある場合には、まず、室内温度や室内湿度が適正に検出されるように送風運転を行い、その後、室内温度センサ１４ａ及び室内湿度センサによる検知結果が高温ゾーンに移動した場合には、室内３０ａ，３０ｂ，・・・が所定の高温状態であると判断する。一方で、制御部１３は、送風運転後に、室内温度センサ１４ａ及び室内湿度センサによる検知結果が、モニタリングゾーンから待機ゾーンに移動した場合には、室内３０ａ，３０ｂ，・・・が所定の高温状態でないと判断する。さらに、制御部１３は、室内温度センサ１４ａ及び室内湿度センサによる検知結果が待機ゾーンにある場合には、室内３０ａ，３０ｂ，・・・が所定の高温状態でないと判断する。
【０１０２】
このように、室内温度だけでなく室内湿度も加味されて室内３０ａ，３０ｂ，・・・が所定の高温状態であるか否かが判断されることで、ユーザーは詳細な室内３０ａ，３０ｂ，・・・の状態を把握することができる。
【０１０３】
また、モニタリングにおいて室内温度及び室内湿度がモニタリングゾーンにある場合にのみ送風運転が行われることで、モニタリングの際に常に送風運転が実施される場合と比較して、省エネルギーを実現することができる。
【産業上の利用可能性】
【０１０４】
本発明は、異なる場所の高温情報をユーザーが携帯端末で簡便に確認することができるものであり、情報仲介装置を介して空調機と携帯端末との間で情報のやりとりを行わせる空調システムへの適用が有効である。
【符号の説明】
【０１０５】
１４ａ    室内温度センサ
２１      ルータ（情報仲介装置）
４０      サーバ（情報仲介装置）
５０      携帯端末／スマートフォン（携帯端末）
５５      表示画面
５６ｅ    「表示」ボタン（入力部）
８０      公衆回線／インターネット（公衆回線）
１００      空調システム
１０ａ，１０ｂ，・・・  空調機
２０ａ，２０ｂ，・・・  アダプタ（情報仲介装置／アダプタ）
３０ａ，３０ｂ，・・・  室内
【先行技術文献】
【特許文献】
【０１０６】
【特許文献１】特開２００５−２７０２５号公報
【図１】
0006044527.tif 000002
【図２】
0006044527.tif 000003
【図３】
0006044527.tif 000004
【図４】
0006044527.tif 000005
【図５】
0006044527.tif 000006
【図６】
0006044527.tif 000007
【図７】
0006044527.tif 000008
【図８】
0006044527.tif 000009
【図９】
0006044527.tif 000010
【図１０】
0006044527.tif 000011
【図１１】
0006044527.tif 000012
【図１２】
0006044527.tif 000013
【図１３】
0006044527.tif 000014
【図１４】
0006044527.tif 000015
【図１５】
0006044527.tif 000016
【図１６】
0006044527.tif 000017
【図１７】
0006044527.tif 000018